(57)【要約】      （修正有）【課題】椅子を装飾することができ、装飾材を取り外した状態では通常の背凭れカバーとして使用することができる汎用性の高い椅子の背凭れカバー具を提供する。【解決手段】背凭れカバー３の背面生地３ｄの下端３’に一方側面ファスナー６を取り付け、他方側面ファスナー１２を備えた装飾用延長布１０を設け、この装飾用延長布１０を背凭れカバー３の背面側に装着可能とし、一方側面ファスナー６は、装飾用延長布１０の未装着時は、背面生地３ｄの下縁３’から露出した接続面５を、背面生地３ｄの裏面側に折り畳むことにより、背凭れカバー３の背面側には、一方側面ファスナー６が露出しない状態となるように構成する。【選択図】図１
0003188735.tif 000002
【実用新案登録請求の範囲】
【請求項１】
椅子の背凭れに被覆装着可能な袋状の背凭れカバーを具備する椅子の背凭れカバー具において、
上記背凭れカバーの背面を構成する背面生地に、接続面が上記背面生地の下縁より下側に露出するように一方側面ファスナーを取り付け、
上記接続面に着脱自在の接続面を有する他方側面ファスナーを備えた装飾用延長布を設け、当該装飾用延長布を上記両面ファスナーの両接続面を以って上記背凭れカバーの背面側に装着可能とし、
上記一方側面ファスナーは、上記装飾用延長布の未装着時は、上記背面生地の上記下縁から露出した上記接続面を、上記背面生地の裏面側に折り畳むことにより、上記背凭れカバーの背面側には、上記一方側面ファスナーが露出しない状態となるように構成した椅子の背凭れカバー具。
【請求項２】
上記装飾用延長布は、上記背凭れカバーへの装着時において、上記背凭れカバーの上記背面生地の下縁から下方に延びる帯状の布であることを特徴とする請求項１記載の椅子の背凭れカバー具。
【請求項３】
上記装飾用延長布は、上記背凭れカバーへの装着時において、上記背凭れカバーの上記背面生地の下縁から下方に延びるティアード形状の布であることを特徴とする請求項１記載の椅子の背凭れカバー具。
【請求項４】
上記背凭れカバーの上記背面生地に、新郎又は新婦のイニシャルプレートを装着可能に構成したものであることを特徴とする請求項１〜３の何れかに記載の椅子の背凭れカバー具。
【請求項５】
上記背凭れカバーの左右或いは右又は左のマチ部に、上面側に開口するポケットを設け、当該ポケットに装飾用飾の軸部を挿入し得るように構成したものであることを特徴とする請求項１〜４の何れかに記載の椅子の背凭れカバー具。
【請求項６】
上記装飾用飾は、上記軸部とその先端部に設けられた花飾又はリボン飾から構成されたものである請求項５記載の椅子の背凭れカバー具。
【考案の詳細な説明】
【技術分野】
【０００１】
本考案は、例えば結婚披露宴等の宴会場において使用する椅子の背凭れカバーに関し、背面に装飾用延長布を着脱可能とした椅子の背凭れカバー具に関するものである。
【背景技術】
【０００２】
従来、例えば、遊技場等における椅子の背凭れカバーの背面に、面ファスナー（雄側又は雌側）を上下２か所に取り付け、一方、表面に各種の広告が表示された表示シートの裏面に面ファスナー（雌側又は雄側）を取り付け、これら面ファスナー（雄雌）を以って、上記表示シートを上記椅子の背凭れカバーの背面に貼りつけることにより、当該表示シートを上記椅子の背凭れカバーの背面に着脱自在に取り付ける技術が提案されている（特許文献１）。
【先行技術文献】
【特許文献】
【０００３】
【特許文献１】実用新案登録第３０９９２１８号公報
【考案の概要】
【考案が解決しようとする課題】
【０００４】
ところで、特許文献１の背凭れカバーは、表示シートが背凭れカバーに対して着脱自在であるが、当該表示シートを上記背凭れカバーから離脱したとき、背凭れカバーの背面には複数の面ファスナーが露出した状態となり、見栄えが非常に悪いという課題がある。
【０００５】
元々この種の背凭れカバーは、常時何らかの表示シートを背面に取り付けた状態で使用することを前提としており、表示シートを取り付けない状態、即ち背凭れカバー単独での使用は想定されていない。
【０００６】
従って、上記従来の背凭れカバーは、遊技場等の特殊な環境における椅子での使用に限定され、例えばホテル等で行われる結婚披露宴、その他の各種パーティ等で使用される椅子の背凭れカバーとしては使用することはできず、汎用性が低いという課題があった。
【０００７】
また、上記従来の背凭れカバーは、広告用の表示シートを装着することを前提としており、例えば背凭れカバーにより結構披露宴等に使用する椅子を華やかに装飾する、という発想が存在しなかった。
【０００８】
本考案は、上記従来の課題に鑑みてなされたものであり、背凭れカバーにより椅子を華やかに装飾することができるし、装飾材を取り外した状態においては通常の背凭れカバーとして使用することもできる汎用性の高い椅子の背凭れカバー具を提供することを目的とする。
【０００９】
さらに本考案は、上記背凭れカバーの背面に新郎新婦用のイニシャルシートを装着し得る椅子の背凭れカバー具を提供することを目的とする。
【００１０】
さらに本考案は、上記背凭れカバーの側面に花飾等の各種の装飾用飾を装着することができる椅子の背凭れカバー具を提供することを目的とする。
【課題を解決するための手段】
【００１１】
上記の目的を達成するため本考案は、
第１に、椅子の背凭れに被覆装着可能な袋状の背凭れカバーを具備する椅子の背凭れカバー具において、上記背凭れカバーの背面を構成する背面生地に、接続面が上記背面生地の下縁より下側に露出するように一方側面ファスナーを取り付け、上記接続面に着脱自在の接続面を有する他方側面ファスナーを備えた装飾用延長布を設け、当該装飾用延長布を上記両面ファスナーの両接続面を以って上記背凭れカバーの背面側に装着可能とし、上記一方側面ファスナーは、上記装飾用延長布の未装着時は、上記背面生地の上記下縁から露出した上記接続面を、上記背面生地の裏面側に折り畳むことにより、上記背凭れカバーの背面側には、上記一方側面ファスナーが露出しない状態となるように構成した椅子の背凭れカバー具により構成される。
【００１２】
このように構成することにより、例えば新郎新婦用の椅子の背凭れに背凭れカバーを被覆装着すると共に、当該背凭れカバーの背面側に装飾用延長布を接続することにより、新郎新婦の椅子を華やかに装飾することができる。一方、装飾用延長布を装着しない場合は、一方側面ファスナーの露出部分（接続面）を背面生地の裏面側に折り畳むことにより、背凭れカバーの背面側に面ファスナーが全く露出しないので、通常の背凭れカバーとして支障なく使用することができる。
【００１３】
第２に、上記装飾用延長布は、上記背凭れカバーへの装着時において、上記背凭れカバーの上記背面生地の下縁から下方に延びる帯状の布であることを特徴とする上記第１記載の椅子の背凭れカバー具により構成される。
【００１４】
このように構成すると、例えば結婚披露宴における新郎新婦の椅子の背面を例えばベールのような装飾用延長布により華やかに装飾することができる。
【００１５】
第３に、上記装飾用延長布は、上記背凭れカバーへの装着時において、上記背凭れカバーの上記背面生地の下縁から下方に延びるティアード形状の布であることを特徴とする上記第１記載の椅子の背凭れカバー具により構成される。
【００１６】
このように構成すると、例えば結婚披露宴における新郎新婦の椅子の背面をティアード形状の布により華やかに装着することができる。
【００１７】
第４に、上記背凭れカバーの上記背面生地に、新郎又は新婦のイニシャルプレートを装着可能に構成したものであることを特徴とする上記第１〜３の何れかに記載の椅子の背凭れカバー具により構成される。
【００１８】
このように構成すると、例えば結構披露宴における新郎新婦の椅子の背凭れ部分に、例えば新郎、新婦各々のイニシャルを表示したイニシャルプレートを取り付けて、新郎新婦を祝福することができる。
【００１９】
第５に、上記背凭れカバーの左右或いは右又は左のマチ部に、上面側に開口するポケットを設け、当該ポケットに装飾用飾の軸部を挿入し得るように構成したものであることを特徴とする上記第１〜４の何れかに記載の椅子の背凭れカバー具により構成される。
【００２０】
このように構成すると、椅子の背凭れ部分を花飾等の装飾用飾でより華やかに装飾することができる。
【００２１】
第６に、上記装飾用飾は、上記軸部とその先端部に設けられた花飾又はリボン飾から構成されたものである上記第５記載の椅子の背凭れカバー具により構成される。
【００２２】
このように構成すると、椅子の背凭れ部分を花飾又はリボン飾等の装飾によってより華やかに装飾することができる。
【考案の効果】
【００２３】
上述のように、本考案によれば、例えば新郎新婦用の椅子を華やかに装飾することができる一方、装飾を必要としない場合は、一方側面ファスナーの露出部分を裏面側に折り畳むことにより、通常の背凭れカバーとして支障なく使用することができるため、汎用性の高い椅子の背凭れカバー具を実現したものである。
【００２４】
また、背凭れカバーの装着と装飾用延長布の接続という簡易な作業で椅子を装飾することができるので、例えばパーティ会場における多数の椅子に対する装飾作業及び装飾の取り外し作業を短時間で容易に行うことができる。
【００２５】
また、装飾が必要な場合は、椅子の背面側を例えばベールのような装飾用延長布により華やかに装飾することができる。
【００２６】
また、例えば結構披露宴における新郎新婦の椅子の背凭れ部分に、例えば新郎、新婦各々のイニシャルを表示したイニシャルプレートを取り付けて、新郎新婦を祝福することができる。
【００２７】
また、椅子の背凭れ部分を花飾等の装飾用飾でより華やかに装飾することができるものである。
【図面の簡単な説明】
【００２８】
【図１】本考案に係る椅子の背凭れカバー具の斜視図である。
【図２】同上カバー具を椅子に装着した状態の椅子の斜視図である。
【図３】同上カバー具の背凭れカバーの斜視図である。
【図４】（ａ）（ｂ）ともに同上カバー具の背凭れカバーの斜視図である。
【図５】（ａ）は同上カバー具の一方側面ファスナー近傍の斜視図、（ｂ）は同上一方側面ファスナーを折り畳んだ状態を示す斜視図である。
【図６】（ａ）〜（ｃ）は同上カバー具の装飾用延長布の斜視図である。
【図７】同上カバー具を椅子に装着した状態であって、装飾を取り外した状態の斜視図である。
【図８】（ａ）は同上カバー具のイニシャルプレートの分解斜視図、（ｂ）は同上カバー具のイニシャルプレートを装着した状態の斜視図である。
【図９】同上カバー具の装飾用飾を装着する状態の斜視図である。
【考案を実施するための形態】
【００２９】
以下、添付図面に基づいて本考案に係る椅子の背凭れカバー具について詳細に説明する。
【００３０】
図１に示すように、椅子１の背凭れ２に、上部から被覆装着可能な袋状の背凭れカバー３（布製）を形成する。この背凭れカバー３は、左右辺部に所定幅ｔ１の左右のマチ部（幅）３ａ，３ｂ、及び上辺部に同じく所定幅ｔ１の上部のマチ部（幅）３ｃを有し、下面側は開口部４が形成された全体として方形の袋状をなしている。
【００３１】
尚、以下の説明において、図１において、椅子１の背凭れ２の背面側（背面生地３ｄ側）を「後方又は背面側」、背凭れ２の前面側（前面生地３ｅ側）を「前方」、後方から前方を向いた場合の左右を「左右方向」と定義して説明する。
【００３２】
この背凭れカバー３の縦横サイズ及びマチ部の幅ｔ１は、上記椅子１の背凭れ２の上半部のサイズ（縦横寸法及び幅）に対応しており、上記背凭れカバー３を上記背凭れ２に上部から被覆装着することにより、図２に示すように、当該椅子１の背凭れ２の上半部を被覆し得るように構成されている。
【００３３】
図３に示すように、上記背凭れカバー３の背面を構成する背面生地３ｄの裏面３ｄ’に、接続面５の下半部５ａが上記背面布地３ｄの下縁３’より下側に幅ｔ２だけ露出するように一方側面ファスナー６（例えば雄側）を取り付ける（図５参照）。
【００３４】
図５に示すように、上記一方側面ファスナー６の上記裏面３ｄ’への取り付けは、当該面ファスナー６の接続面５の下半部５ａを上記背面生地３ｄの表面側に向けた状態で、その上半部５ａ’を上記裏面３ｄ’に宛がい、上記上半部５ａ’の周縁と上記裏面３ｄ’とを縫い合わせ７することにより行うことができる。勿論、上記面ファスナー６の上記裏面３ｄ’への取り付けは、縫い合わせに限らず、接着、ホック、ボタン等により行うことができる。
【００３５】
このように一方側面ファスナー６を取り付けることにより、上記背凭れカバー３の背面生地３ｄの下端３’から下側に上記一方側面ファスナー６の接続面５が露出した状態となる（図１、図３、図４参照）。
【００３６】
この一方側面ファスナー６は、図３、図４（ａ）に示すように、上記下縁３’の中央部に左右方向に長い帯状の面ファスナー６を１本だけ取り付けても良いし、図４（ｂ）に示すように、上記下縁３’の中央を挟んで左右方向に、若干短い帯状の面ファスナー６，６を２本取り付けても良い。
【００３７】
そして、上記一方側面ファスナー６は、図５（ａ）に示すように、上記背面生地３ｄの上記下縁３’から露出した接続面５を、上記背面生地３ｄの裏側３ｄ’に折り畳むことにより（図５（ａ）矢印Ａ参照）、図５（ｂ）、図７に示すように、上記背凭れカバー３の背面側には、上記一方側面ファスナー６が露出しない状態を形成し得るように構成されている（図５（ｂ）、図７参照）。
【００３８】
即ち、上記一方側面ファスナー６は上記下側に露出する下半部５ａの接続面５と、上記裏面３ｄ’に接続された上半部５ａ’の接続面５との左右方向の水平境界線Ｐを境として、上記下端３’から下側に露出する下半部５ａの接続面５の全体を、前方（図５（ａ）矢印Ａ方向）に折り畳むことにより、上記上半部５ａ’側に折り畳み、上記下半部５ａの上記接続面５の全体が、上記背面生地３ｄの下端３’から全く露出しない状態に設定し得るように構成している（図５（ｂ）、図７参照）。
【００３９】
上記下半部５ａ側の上記接続面５を、上記上半部５ａ’側に折り畳んだとき、当該折り畳み状態を維持するため、上記下半部５ａ側の接続面５の裏面の角部（２か所）と、上記上半部５ａ’側の接続面５の裏面の角部（２か所）にホック８（４か所）を設け、上記各ホック８を止めることにより、上記下半部５ａの接続面５の上記上半部５ａ’への折り畳み状態を保持できるように構成することができる（図５（ｂ）参照）。勿論、上記ホック８以外においても、上記折り畳み状態を維持し得るものであれば、ホタン、面ファスナー等の他の手段を用いても良い。
【００４０】
後述の装飾用延長布１０を装着しない場合は、上記一方側面ファスナー６は、図７に示すように、裏面３ｄ’側に折り畳んでおき、当該一方側面ファスナー６自体が背凭れカバー３の背面側に露出しないようにしておく。
【００４１】
従って、上記装飾用延長布１０を使用しない場合は、上記一方側面ファスナー６を折り畳んだ状態としておけば、椅子１の背凭れ２に装着することにより、図７に示すように、通常の装飾のない背凭れカバーとして使用することができる。
【００４２】
１０は装飾用延長布であり、例えばベールのような薄い帯状の布地により形成されており、縦方向に複数のプリーツ（ひだ）９を形成することが好ましい。この装飾用延長布１０は、その上端部には左右方向直線状の取付縁１０ａが形成されており、当該取付縁１０ａの一面（背凭れカバー３の背面生地３ｄ側）１０’には、上記一方側面ファスナー６の上記接続面５に着脱自在の接続面１１を有する他方側面ファスナー１２（例えば雌側）が取り付けられている。
【００４３】
この他方側面ファスナー１２の上記取付縁１０ａへの取り付けは、縫い合わせ、接着、ホック、ボタン等による取り付け等、各種の方法をとることができる。
【００４４】
そして、この装飾用延長布１０の上記他方側面ファスナー１２の接続面１１を上記椅子１の背凭れ２に装着された上記背凭れカバー３の上記一方側面ファスナー６の上記接続面５に接続することにより、図２に示すように、上記装飾用延長布１０を上記背凭れカバー３の背面側に装着することができる。
【００４５】
この装飾用延長布１０は、上記背凭れカバー３への装着時において、上記背凭れカバー３の上記背面生地３ｄの下縁３’から下方に延びる帯状の布として形成されており、上記椅子１の背面の背凭れ２の下半部を覆うことができるように構成されている。
【００４６】
この装飾用延長布１０は、図６（ａ）に示すベールのような薄い布により構成することができるが、図６（ｂ）に示すように、上記取付縁１０ａの近傍の上部背面側（後面側）に複数の花飾り１１を取り付けたものでも良いし、図６（ｃ）に示すように、上記背凭れカバー３への装着時において、上記背凭れカバー３の上記背面生地３ｄの下縁３’から下方に延びるティアード形状（複数段形状）の複数の短布１０”により形成しても良く、その装飾方法は各種のものが考えられる。
【００４７】
図８に示すものは、上記背凭れカバー３の背面生地３ｄの略中央に取り付けられる長方形状のイニシャルプレート１７を示すものである。このイニシャルプレート１７は、例えば結婚披露宴における新郎用と新婦用の椅子に本考案に係る背凭れカバー３を用いる場合、新郎側の椅子には新郎のイニシャルを表記したイニシャルプレート１７、新婦側の椅子には新婦のイニシャルを表記したイニシャルプレート１７を新郎、新婦の各々の椅子の背凭れカバー３の背面生地３ｄに装着するものである。尚、このイニシャルプレートの装着は任意であり、装着しなくても良い。
【００４８】
このイニシャルプレート１７の上記背凭れカバー３への装着は、例えば、上記背凭れカバー３の上記背面生地３ｄの略中央に上下２列の一対の一方側面ファスナー１３，１３を接着、縫い合わせ等により取り付け、一方、長方形状のベースプレート１７ａの対向面に上記一方側面ファスナー１３，１３に着脱自在の上下２列の他方側面ファスナー１４，１４を取り付け、これらの面ファスナー１３，１４を以って、上記ベースプレート１７ａを上記背凭れカバー３の背面生地３ｄに取り付ける（図８（ａ）参照）。
【００４９】
その後、新郎又は新婦のイニシャルが記載された長方形状のイニシャルシール１７ｂ（裏面側が易剥離性の粘着面となっている）を上記ベースプレート１７ａに貼着することにより構成することができる（図８（ｂ）参照）。
【００５０】
このイニシャルプレート１７は、予め背凭れカバー３に上記一方側面ファスナー１３，１３を取り付けておく必要がある点で、用途としては新郎新婦用にある程度限定されるが、上記イニシャルプレート１７を上記面ファスナー１３，１４を用いることなく、上記背面生地３ｄに両面粘着テープ等により直接取り付ける構成であれば、イニシャルプレート１７を上記背面生地３ｄから取り外すことにより、上記と同様に、汎用的な背凭れカバー３としても使用することができる。
【００５１】
図９に示すものは、上記背凭れカバー３の左右のマチ部３ａ，３ｂに、上面側に開口部１５ａを有するポケット１５，１５を各々設け、当該ポケット１５，１５に装飾用飾１６の軸部１６ｂを挿入し得るように構成したものである。
【００５２】
このポケット１５は、上記マチ部３ａ，３ｂの生地の上から当該マチ部３ａ，３ｂと略同一幅の布材を宛がい、当該布材の周縁を上記開口部１５ａを残して上記マチ部３ａ，３ｂの生地に縫い合わせることにより、形成することができる。このポケット１５は上記左右のマチ部３ａ，３ｂの両方に形成しても良いし、一方のマチ部３ａ，３ｂの何れかに形成しても良い。
【００５３】
上記装飾用飾１６は、上記軸部１６ｂとその先端部に設けられた花飾又はリボン飾１６ａから構成されたものであり、上記軸部１６ｂを上記ポケット１５に挿入することにより、図９に示すように、背凭れカバー３の両側を華やかに装飾することができるものである。尚、上記軸部１６ｂの先端の飾物は上記に限らずその他の各種の飾物を用いることができる。
【００５４】
本考案に係る椅子の背凭れカバー具は、上述のように構成されるものであるから、本考案の椅子の背凭れカバー具を、例えば結婚披露宴の椅子（複数）に使用する場合は、図１、図３（矢印参照）に示すように、背凭れカバー３の一方側面ファスナー６の接続面５の下半部５ａを上記カバー３の下縁３’から下側に露出した状態とし（図４（ｂ）の場合は左右の一方側面ファスナー６，６を両方とも露出した状態で）、その状態で、上記椅子１の背凭れ２に上記背凭れカバー３を上部から被覆装着する。
【００５５】
その後、上記背凭れカバー３の上記一方側面ファスナー６の接続面５に、装飾用延長布１０の他方側面ファスナー１２の接続面１１を装着することにより、図２に示すように、上記背凭れカバー３の下縁３’に当該装飾用延長布１０（図６の（ａ）乃至（ｃ）の何れか）を装着する。これにより、結婚披露宴会場の椅子を華やかに装飾することができる。
【００５６】
また、例えば新郎新婦の椅子の場合であって、新郎新婦が希望する場合は、上記イニシャルプレート１７を、新郎新婦用の椅子１の上記背凭れカバー３の背面生地３ｄに取り付ければ良い（図８参照）。
【００５７】
より華やかな装飾が必要な場合は、装飾用飾１６を上記ポケット１５，１５に装着することにより、新郎新婦の上記椅子１の背凭れ２の両側を、さらに華やかに装飾することができる。
【００５８】
一方、背凭れカバー３を、装飾の必要のない通常のパーティ等のテーブルにセットする椅子に使用する場合は、上記装飾用延長布１０、イニシャルプレート１７、装飾用飾１６を取り外した状態とし、さらに、図５に示すように、上記背面生地３ｄの下端３’から下方に露出する一方側面ファスナー６の下半部５ａの接続面５を、背面生地３ｄの裏面３ｄ’に折り畳み（図４（ｂ）の場合は、左右両方の面ファスナー６，６を何れも折り畳み）、上記ホック８を固定することにより、当該一方側面ファスナー６の下半部５ａが上記下縁３’から露出しない状態とする。
【００５９】
その後、当該背凭れカバー３を椅子１の背凭れ２に装着することにより、図７に示すように、通常の背凭れカバー３として使用することができる。
【００６０】
尚、上記実施形態において、背凭れカバー３の材質は、布に限らず、革製、合成革製、合成樹脂製等の各種の材質により構成することができる。また、上記背凭れカバー３に上記イニシャルプレート１７及び／又は上記ポケット１５を装着するか否かは任意である。
【００６１】
本考案によれば、例えば新郎新婦用の椅子１を装飾用延長布１０により華やかに装飾することができる一方、装飾を必要としない場合は、一方側面ファスナー６の露出部分を裏面３ｄ’側に折り畳むことにより、通常の背凭れカバーとして支障なく使用することができるため、極めて汎用性の高い椅子の背凭れカバー具を実現したものである。
【００６２】
また、背凭れカバー３の椅子１への装着と装飾用延長布１０の接続という簡易な作業で椅子１を装飾することができるので、例えばパーティ会場における多数の椅子に対する装飾作業及び装飾の取り外し作業を短時間で容易に行うことができる。
【００６３】
また、装飾が必要な場合は、椅子１の背面側を例えばベールのような装飾用延長布１０により簡単に華やかに装飾することができる。
【００６４】
また、例えば結構披露宴における新郎新婦の椅子１の背凭れ部分に、例えば新郎、新婦各々のイニシャルを表示したイニシャルプレート１７を取り付けて、新郎新婦を祝福することができる。
【００６５】
また、椅子１の背凭れ部分を花飾り等の装飾用飾１６でより華やかに装飾することができるものである。尚、図１、図３における３ｅは背凭れカバー３の前面生地である。
【産業上の利用可能性】
【００６６】
本考案に係る椅子の背凭れカバー具は、椅子の装飾用として使用することができるし、装飾が必要ない場合は、背面側に面ファスナーが全く露出せず、装飾のない通常の椅子の背凭れカバーとして何ら支障なく使用することができ、極めて汎用性の高いものである。
【符号の説明】
【００６７】
１                椅子
２                背凭れ
３                背凭れカバー
３’              下縁
３ａ，３ｂ        マチ部
３ｄ              背面生地
３ｄ’            裏面
５                接続面
６                一方側面ファスナー
１０              装飾用延長布
１１              接続面
１２              他方側面ファスナー
１５              ポケット
１５ａ            開口部
１６              装飾用飾
１６ａ            花飾又はリボン飾
１６ｂ            軸部
１７              イニシャルプレート
【図１】
0003188735.tif 000003
【図２】
0003188735.tif 000004
【図３】
0003188735.tif 000005
【図４】
0003188735.tif 000006
【図５】
0003188735.tif 000007
【図６】
0003188735.tif 000008
【図７】
0003188735.tif 000009
【図８】
0003188735.tif 000010
【図９】
0003188735.tif 000011